(57)【要約】【課題】コストアップ及び作業工数の増加を抑えつつ、光源に関わる機能を追加可能な照明器具を提供する。【解決手段】照明器具１０は、器具本体１と、光源ユニット２と、プルスイッチ２６とを備える。器具本体１は、外部からの電源線が接続される端子台２５を有し、造営材に取り付けられる。光源ユニット２は、ＬＥＤ２２２及びＬＥＤ２２２に対して点灯電力を供給する電源装置２４を有し、器具本体１に取り付けられる。プルスイッチ２６は、ＬＥＤ２２２と電源装置２４の２次側との間に電気的に接続されることで、ＬＥＤ２２２に関わる機能を付加する。【選択図】図１
2015103304.tif 000002
【特許請求の範囲】
【請求項１】
外部からの電源線が接続される端子台を有し造営材に取り付けられる器具本体と、
光源及び前記光源に対して点灯電力を供給する電源装置を有し前記器具本体に取り付けられる光源ユニットと、
前記光源と前記電源装置の２次側との間に電気的に接続されることで前記光源に関わる機能を付加する機能部品と、を備えたことを特徴とする照明器具。
【請求項２】
前記光源に接続される第１電線と、前記電源装置の２次側に接続される第２電線とを備え、前記第１電線の先端に設けられた第１コネクタと前記第２電線の先端に設けられた第２コネクタとを接続することで、前記光源と前記電源装置の２次側との間が電気的に接続され、
前記機能部品は、前記第１コネクタが着脱自在に接続される第１接続部と、前記第２コネクタが着脱自在に接続される第２接続部とを有することを特徴とする請求項１記載の照明器具。
【請求項３】
前記機能部品は、前記器具本体又は前記光源ユニットの何れか一方に取り付けられることを特徴とする請求項１又は２記載の照明器具。
【発明の詳細な説明】
【技術分野】
【０００１】
本発明は、照明器具に関するものである。
【背景技術】
【０００２】
従来より、天井に取り付けられる天井直付け型の照明器具が提供されている（例えば特許文献１参照）。この照明器具は、吊ボルトを用いて天井に直付けされる器具本体と、器具本体に対して着脱自在に取り付けられる光源部とを備える。また、この照明器具では、天井裏に先行配線された電源線が接続される端子台と、光源部に対して点灯電力を供給する電源装置とが器具本体に取り付けられ、さらに端子台と電源装置の間が電線により接続されている。
【先行技術文献】
【特許文献】
【０００３】
【特許文献１】特開２０１２−３９９３号公報
【発明の概要】
【発明が解決しようとする課題】
【０００４】
上述の特許文献１に示した照明器具は、設置した後に機能を追加することができないため、機能を追加する要望があった場合にはその機能を付加した照明器具を新たに設置することになる。その結果、コストアップになるとともに作業工数が増加するという問題があった。
【０００５】
本発明は上記問題点に鑑みて為されたものであり、その目的とするところは、コストアップ及び作業工数の増加を抑えつつ、光源に関わる機能を追加可能な照明器具を提供することにある。
【課題を解決するための手段】
【０００６】
本発明の照明器具は、外部からの電源線が接続される端子台を有し造営材に取り付けられる器具本体と、光源及び前記光源に対して点灯電力を供給する電源装置を有し前記器具本体に取り付けられる光源ユニットと、前記光源と前記電源装置の２次側との間に電気的に接続されることで前記光源に関わる機能を付加する機能部品と、を備えたことを特徴とする。
【０００７】
この照明器具において、前記光源に接続される第１電線と、前記電源装置の２次側に接続される第２電線とを備え、前記第１電線の先端に設けられた第１コネクタと前記第２電線の先端に設けられた第２コネクタとを接続することで、前記光源と前記電源装置の２次側との間が電気的に接続され、前記機能部品は、前記第１コネクタが着脱自在に接続される第１接続部と、前記第２コネクタが着脱自在に接続される第２接続部とを有するのが好ましい。
【０００８】
また、この照明器具において、前記機能部品は、前記器具本体又は前記光源ユニットの何れか一方に取り付けられるのも好ましい。
【発明の効果】
【０００９】
本発明の構成によれば、光源に関わる機能を追加する際に光源と電源装置の２次側との間に機能部品を接続するだけでよく、コストアップ及び作業工数の増加を抑えつつ、光源に関わる機能を追加可能な照明器具の提供が可能であるという効果がある。
【図面の簡単な説明】
【００１０】
【図１】実施形態１の照明器具の分解斜視図である。
【図２】同上の全体斜視図である。
【図３】同上の断面図である。
【図４】同上の概略ブロック図である。
【図５】実施形態２の照明器具の分解斜視図である。
【図６】同上の全体斜視図である。
【図７】（ａ）、（ｂ）は同上に用いられる機能部品をカバー部材に取り付けた状態を示す断面図である。
【図８】同上の概略ブロック図である。
【発明を実施するための形態】
【００１１】
以下に、照明器具の実施形態について図面を参照しながら説明する。なお、以下では特に断りがない限り、図３に示す向きにおいて上下左右の方向を規定し、さらに図３中の紙面に垂直な方向を前後方向（手前側が前側）と規定して説明を行う。
【００１２】
（実施形態１）
本実施形態の照明器具１０は、図３に示すように天井直付け型の照明器具であり、吊ボルト２００を用いて天井材１００（造営材）に取り付けられる器具本体１と、器具本体１に対して着脱自在に取り付けられる光源ユニット２と、プルスイッチ２６とを備える。
【００１３】
器具本体１は、板金に曲げ加工を施すことで長尺且つ上面（天井材１００との対向面）が開口する扁平な箱状に形成され、天井材１００と反対側（つまり下側）には光源ユニット２を収容するための矩形の凹部１１が全長に亘って設けられている（図１参照）。また、器具本体１の左右方向（幅方向）において凹部１１の両側には、凹部１１の開口端縁から延出し且つ外側に行くほど上側（天井材１００側）に傾斜する傾斜面１２，１２がそれぞれ設けられている（図３参照）。
【００１４】
また、凹部１１の底面部１１１には、電線を通すための孔１１１ａが前後方向（長手方向）に沿って複数（図１では５個）設けられるとともに、吊ボルト２００を通すための孔１１１ｂが前後方向における両端寄りの位置にそれぞれ２個ずつ設けられている。さらに、凹部１１の前後方向における両端縁には、横長且つ矩形板状に形成されたリブ１３，１３がそれぞれ取り付けられており、一方（図１中の左側）のリブ１３には、円弧状の切欠部１３１が設けられている。
【００１５】
光源ユニット２は、複数（図１では２個）の基板２２と、基板２２が取り付けられる取付部材２１と、基板２２を覆うようにして取付部材２１に取り付けられるカバー部材２３と、基板２２に所定の点灯電力を供給する電源装置２４とを具備する（図１参照）。
【００１６】
基板２２は、図１に示すように、前後方向に長い矩形板状に形成されたプリント基板２２１からなり、プリント基板２２１の下面には複数のＬＥＤ（発光ダイオード）２２２が前後方向（長手方向）に沿って実装されている。また、一方（図１中の右側）の基板２２の前端部（図１中の右端部）には、電源装置２４との間を電気的に接続するためのコネクタ２２３が実装されている。コネクタ２２３には、電線２２６，２２６が接続されており、電線２２６，２２６の端部には、電源装置２４との間を電気的に接続するための雄型コネクタ２２５が設けられている（図４参照）。
【００１７】
また、各基板２２において隣接する基板２２と対向する端部には、電源供給用のコネクタ２２４がそれぞれ実装されている。そして、両基板２２，２２のコネクタ２２４，２２４を接続することで、一方（図１中の右側）の基板２２から他方（図１中の左側）の基板２２に点灯電力を供給することができる。
【００１８】
取付部材２１は、図１に示すように、板金に曲げ加工を施すことでＵ字状に形成され、長尺且つ矩形板状に形成された底面部２１１と、底面部２１１の左右方向（幅方向）における両端部から上向きに延出する一対の側面部２１２，２１２とで構成される。各側面部２１２の先端には、図３に示すように、互いに離れる向き（外向き）に傾斜する傾斜部２１２ａが全長に亘って設けられている。
【００１９】
底面部２１１の前端部（図１中の右端部）には、電線２２６，２２６を通すための孔２１１ａが設けられている。また、底面部２１１の前後方向における中央部には、底面部２１１の一部を上向きに突出させることで形成された矩形の凹部２１１ｂが設けられている。凹部２１１ｂは、両基板２２，２２を取付部材２１に取り付けた状態で、コネクタ２２４と取付部材２１の底面部２１１との間の絶縁距離を確保するためのものである。なお、上述の基板２２は、例えば取付部材２１の底面部２１１の一部を切り起こすことで形成された爪部（図示せず）により取付部材２１に固定される。
【００２０】
カバー部材２３は、図１に示すように、拡散性を有する材料（例えば乳白色のアクリル樹脂）により上面（取付部材２１側の面）が開口する長尺状に形成されている。また、カバー部材２３は、左右方向（幅方向）において両端側から中央側に近づくほど下側への突出量が大きくなるような凸レンズ形状の拡散面２３１を有している（図３参照）。
【００２１】
さらに、カバー部材２３の左右方向における両端部には、図３に示すように、光源ユニット２を器具本体１に取り付けた状態で、上下方向において器具本体１の凹部１１の開口端縁と重なる延出部２３２，２３２がそれぞれ設けられている。また、カバー部材２３の左右方向において各延出部２３２の内側には、上側（取付部材２１側）に突出する突壁部２３３が全長に亘って設けられており、各突壁部２３３の先端には内向きに突出する突起部２３３ａが設けられている。
【００２２】
電源装置２４は、図１に示すように、電源基板２４１と、電源基板２４１を収納するための収納ケース２４２とを有する。電源基板２４１は、前後方向に長い矩形板状に形成されたプリント基板２４１ａからなり、プリント基板２４１ａには、少なくともＬＥＤ２２２（光源）の点灯電力を生成するための回路部品（トランスやダイオード、コンデンサなど）２４１ｂが実装されている。
【００２３】
また、電源基板２４１は、図４に示すように、電線２４４，２４５を介して電気的に接続された雌型コネクタ２４３を有している。１本の電線２４４の端部は電源装置２４の２次側に接続され、もう１本の電線２４４の端部はプルスイッチ２６に内蔵された接点２６１の一端に接続されている。また、プルスイッチ２６の接点２６１の他端には電線２４５が接続され、電線２４５の他端は電源装置２４の２次側に接続されている。
【００２４】
収納ケース２４２は、図１に示すように、一面（取付部材２１の底面部２１１との対向面）が開口し且つ前後方向に長い矩形箱状に形成されている。そして、収納ケース２４２は、開口側が取付部材２１の底面部２１１と対向するようにして、例えばねじなどを用いて取付部材２１の側面部２１２に取り付けられる。
【００２５】
プルスイッチ２６は、図１及び図２に示すように、引き紐２６２を有し、引き紐２６２を引くことで接点２６１が閉じたり、開いたりする。プルスイッチ２６は、器具本体１の凹部１１内に収納され、引き紐２６２は、器具本体１の前後方向における一端部（図１中の左端部）に設けられた切欠部１３１を通して下向きに垂れ下がった状態にある（図２参照）。
【００２６】
引き紐２６２を引いて接点２６１が閉じると、電源線３により供給される交流電力が端子台２５を介して電源装置２４に入力され、電源装置２４は、生成した直流電力を雌型コネクタ２４３及び雄型コネクタ２２５を介して基板２２に供給する。その結果、基板２２に実装されたＬＥＤ２２２が点灯する。
【００２７】
また、引き紐２６２を引いて接点２６１が開くと、電源装置２４から基板２２への給電が停止され、その結果、ＬＥＤ２２２が消灯する。つまり、本実施形態の照明器具１０では、プルスイッチ２６によってＬＥＤ２２２への給電を入／切する機能（光源に関わる機能）を追加することができ、プルスイッチ２６により機能部品が構成されている。
【００２８】
ここに、本実施形態では、ＬＥＤ２２２が実装された基板２２に接続される電線２２６，２２６により第１電線が構成され、電線２２６，２２６の先端に設けられた雄型コネクタ２２５により第１コネクタが構成されている。また、本実施形態では、電源装置２４の２次側に接続された電線２４４，２４５により第２電線が構成され、電線２４４の先端に設けられた雌型コネクタ２４３により第２コネクタが構成されている。
【００２９】
次に、光源ユニット２の組立手順について説明する。まず最初に、作業者は、電源装置２４を取付部材２１の底面部２１１の上面側に取り付け、さらに上記爪部により基板２２を取付部材２１の底面部２１１の下面に固定する。その後、作業者は、基板２２のコネクタ２２３から導出する電線２２６，２２６を取付部材２１の底面部２１１に設けた孔２１１ａに通し、その端部に設けられた雄型コネクタ２２５を電源装置２４の雌型コネクタ２４３に接続する。
【００３０】
そして最後に、作業者は、開口側を上向きにした状態でカバー部材２３を取付部材２１に組み付ける。このとき、カバー部材２３の各突壁部２３３に設けた突起部２３３ａが、取付部材２１の各側面部２１２に設けた傾斜部２１２ａに引っ掛かり、カバー部材２３が取付部材２１に取り付けられる。以上のような手順に従って、光源ユニット２が組み立てられる。
【００３１】
続けて、照明器具１０の施工手順について説明する。なお、以下では、端子台２５及びプルスイッチ２６が予め器具本体１に取り付けられているものとして説明する。まず最初に、作業者は、天井裏に先行配線された電源線３（図４参照）を器具本体１の孔１１１ａに通し、さらに室内側に露出する吊ボルト２００を孔１１１ｂに通した後、吊ボルト２００にナット３００をねじ込んで器具本体１を天井材１００に固定する。
【００３２】
その後、作業者は、電源線３の端部を端子台２５に接続し、さらに端子台２５と電源装置２４の１次側との間を３本の電線２５１により接続する。そして最後に、作業者は、電源装置２４が器具本体１の凹部１１内に収容されるようにして、例えば器具本体１及び取付部材２１にそれぞれ設けた嵌合構造（図示せず）により、光源ユニット２を器具本体１に取り付ける。このとき、器具本体１の切欠部１３１を通してプルスイッチ２６の引き紐２６２を外部に露出させる。以上のような手順に従って、照明器具１０が天井に施工される（図２及び図３参照）。
【００３３】
この照明器具１０では、ＬＥＤ２２２と電源装置２４の２次側との間にプルスイッチ２６の接点２６１を介在させており、引き紐２６２を引いて接点２６１を閉じると、電源装置２４からの給電が開始され、これによりＬＥＤ２２２が点灯する。再度引き紐２６２を引いて接点２６１が開くと、電源装置２４からの給電が停止され、これによりＬＥＤ２２２が消灯する。つまり、機能部品であるプルスイッチ２６をＬＥＤ２２２と電源装置２４の２次側との間に接続することで、ＬＥＤ２２２の点灯／消灯を切り替えることができる。
【００３４】
本実施形態の照明器具１０によれば、ＬＥＤ２２２（光源）と電源装置２４の２次側との間にプルスイッチ２６（機能部品）を接続するだけでＬＥＤ２２２に関わる機能を追加することができる。その結果、コストアップ及び作業工数の増加を抑えつつ、ＬＥＤ２２２に関わる機能を追加可能な照明器具１０の提供が可能になる。
【００３５】
なお、本実施形態では、機能部品であるプルスイッチ２６を器具本体１に取り付けているが、光源ユニット２にプルスイッチ２６を取り付けてもよい。この場合、電源装置２４とプルスイッチ２６との間の電線２４５、及び、雌型コネクタ２４３とプルスイッチ２６との間の電線２４４を短くすることができる。
【００３６】
また、本実施形態では、電源装置２４とプルスイッチ２６との間を電線２４５で接続するとともに、雌型コネクタ２４３とプルスイッチ２６との間を電線２４４で接続している。これに対して、例えば電源装置２４の雌型コネクタ２４３に接続される雄型コネクタ（第２接続部）と、ＬＥＤ２２２（基板２２）の雄型コネクタ２２５に接続される雌型コネクタ（第１接続部）とをプルスイッチ２６に設けてもよい。
【００３７】
この場合、プルスイッチ２６の雄型コネクタを電源装置２４の雌型コネクタ２４３に接続し、プルスイッチ２６の雌型コネクタを基板２２の雄型コネクタ２２５接続するだけでよく、容易に機能を追加することができる。
【００３８】
本実施形態の照明器具１０は、器具本体１と、光源ユニット２と、プルスイッチ２６（機能部品）とを備える。器具本体１は、外部からの電源線３が接続される端子台２５を有し、天井材１００（造営材）に取り付けられる。光源ユニット２は、ＬＥＤ２２２（光源）及びＬＥＤ２２２に対して点灯電力を供給する電源装置２４を有し、器具本体１に取り付けられる。プルスイッチ２６は、ＬＥＤ２２２と電源装置２４の２次側との間に電気的に接続されることでＬＥＤ２２２に関わる機能を付加する。
【００３９】
本実施形態の照明器具１０のように、ＬＥＤ２２２に接続される電線２２６（第１電線）と、電源装置２４の２次側に接続される電線２４４，２４５（第２電線）とを備えるのが好ましい。この場合、電線２２６の先端に設けられた雄型コネクタ２２５（第１コネクタ）と電線２４４，２４５の先端に設けられた雌型コネクタ２４３（第２コネクタ）とを接続することで、ＬＥＤ２２２と電源装置２４の２次側との間が電気的に接続される。プルスイッチ２６は、雄型コネクタ２２５が着脱自在に接続される第１接続部と、雌型コネクタ２４３が着脱自在に接続される第２接続部とを有する。
【００４０】
本実施形態の照明器具１０のように、プルスイッチ２６は、器具本体１又は光源ユニット２の何れか一方に取り付けられるのが好ましい。
【００４１】
（実施形態２）
照明器具１０の実施形態２について図５〜図８を参照しながら説明する。上述の実施形態１では、プルスイッチ２６を機能部品としたが、本実施形態では、センサ２７を機能部品としている。なお、本実施形態では、取付部材及び基板の図示を省略しているが、上述の実施形態１と同様であり、取付部材及び基板について説明する際には、図１を適宜参照する。
【００４２】
本実施形態の照明器具１０は、図５に示すように、器具本体１と、光源ユニット２と、センサ２７とを備える。
【００４３】
器具本体１は、板金に曲げ加工を施すことで長尺且つ上面（天井材１００との対向面）が開口する扁平な箱状に形成され、天井材１００と反対側（つまり下側）には光源ユニット２を収容するための矩形の凹部１１が全長に亘って設けられている（図５参照）。また、器具本体１の左右方向（幅方向）において凹部１１の両側には、凹部１１の開口端縁から延出し且つ外側に行くほど上側（天井材１００側）に傾斜する傾斜面１２，１２がそれぞれ設けられている。
【００４４】
また、凹部１１の底面部１１１には、電線を通すための孔１１１ａが前後方向（長手方向）における中央部に設けられるとともに、吊ボルト２００を通すための孔１１１ｂが前後方向における両端寄りの位置にそれぞれ１個ずつ設けられている。さらに、凹部１１の長手方向における両端縁には、横長の矩形板状に形成されたリブ１３，１３がそれぞれ取り付けられている。
【００４５】
また、凹部１１の一方（図５中の右側）の側面部１１２には、後述の引掛片３１，３１がそれぞれ引っ掛けられる孔１１２ａ，１１２ａが、前後方向における両端寄りの位置にそれぞれ設けられている。さらに、凹部１１の他方（図５中の左側）の側面部１１２には、後述の引掛ばね３２，３２がそれぞれ引っ掛けられる引掛金具３３，３３が、前後方向における両端寄りの位置にそれぞれ取り付けられている。
【００４６】
光源ユニット２は、複数の基板２２と、基板２２が取り付けられる取付部材２１と、基板２２を覆うようにして取付部材２１に取り付けられるカバー部材２３と、基板２２に所定の点灯電力を供給する電源装置２４とを具備する（図１及び図５参照）。なお、取付部材２１及び基板２２については実施形態１と同様であり、ここでは説明を省略する。
【００４７】
カバー部材２３は、図５に示すように、拡散性を有する材料（例えば乳白色のアクリル樹脂）により上面（取付部材２１側の面）が開口する長尺状に形成されている。また、カバー部材２３は、左右方向（幅方向）において両端側から中央側に近づくほど下側への突出量が大きくなるような凸レンズ形状の拡散面２３１を有している（図７（ａ）参照）。
【００４８】
さらに、カバー部材２３の左右方向における両端部には、図７（ａ）に示すように、光源ユニット２を器具本体１に取り付けた状態で、上下方向において器具本体１の凹部１１の開口端縁と重なる延出部２３２，２３２がそれぞれ設けられている。また、カバー部材２３の左右方向において各延出部２３２の内側には、上側（取付部材２１側）に突出する突壁部２３３が全長に亘って設けられており、各突壁部２３３の先端には内向きに突出する突起部２３３ａが設けられている。
【００４９】
電源装置２４は、基板２２に実装されたＬＥＤ２２２に対して直流電力を供給するものであり、電源装置２４の１次側には、電線２４７を介して雄型コネクタ２４６が接続されている。そして、器具本体１の凹部１１内に収納された端子台２５に電線２５１を介して接続された雌型コネクタ２５２と雄型コネクタ２４６とを接続することで、外部からの交流電力が端子台２５を介して電源装置２４に供給される。
【００５０】
ここに、本実施形態では、センサ２７を機能部品としており、図５及び図６に示すように、取付部材３０を介してカバー部材２３の端部に取り付けられるようになっている。以下、具体的に説明する。
【００５１】
センサ２７は、例えば人の存在を検出するための人感センサであって、赤外線や超音波、可視光などを用いて人の存在を検出する。なお、センサ２７については従来周知のものを採用しており、ここでは詳細な説明を省略する。
【００５２】
取付部材３０は、例えば合成樹脂成型品であって、図７（ａ）に示すように、カバー部材２３の拡散面２３１に沿って配置される本体部３０１を有している。本体部３０１の左右方向における両端部には、カバー部材２３の延出部２３２，２３２がそれぞれ差し込まれる差込溝３０２，３０２がそれぞれ全長に亘って設けられている。また、取付部材３０は、前後方向における一端部が蓋部３０３により閉塞されており、蓋部３０３がカバー部材２３の前後方向における端部に接触することで、カバー部材２３に対して取付部材３０が位置決めされる。
【００５３】
図８は本実施形態の照明器具１０の概略ブロック図である。センサ２７は、接続ケーブル２８の雌型コネクタ２８２が着脱自在に接続される雄型コネクタ２７２と、接続ケーブル２９の雄型コネクタ２９１が着脱自在に接続される雌型コネクタ２７１とを有する。接続ケーブル２８の他端部に設けられた雄型コネクタ２８１は、電源装置２４の雌型コネクタ２４３に対して着脱自在に接続される。また、接続ケーブル２９の他端部に設けられた雌型コネクタ２９２は、ＬＥＤ２２２が実装された基板の雄型コネクタ２２５に対して着脱自在に接続される。
【００５４】
次に、光源ユニット２の組立手順について説明する。まず最初に、作業者は、電源装置２４及び基板２２を取付部材２１に取り付け、さらにセンサ２７が取り付けられた取付部材３０を前後方向からスライドさせ、カバー部材２３の端部に組み付ける。このとき、カバー部材２３の各延出部２３２が、取付部材３０の対応する差込溝３０２に差し込まれる。その後、作業者は、開口側を上向きにした状態でカバー部材２３を取付部材２１に組み付ける。
【００５５】
最後に、作業者は、基板２２の雄型コネクタ２２５を、接続ケーブル２９を介してセンサ２７の雌型コネクタ２７１に接続し、電源装置２４の雌型コネクタ２４３を、接続ケーブル２８を介してセンサ２７の雄型コネクタ２７２に接続する。これにより、電源装置２４と基板２２との間がセンサ２７を介して電気的に接続される。以上のような手順に従って、光源ユニット２が組み立てられる。
【００５６】
続けて、照明器具１０の施工手順について説明する。なお、以下では、端子台２５が予め器具本体１に取り付けられているものとして説明する。まず最初に、作業者は、天井裏に先行配線された電源線３（図５参照）を器具本体１の孔１１１ａに通し、さらに室内側に露出する吊ボルト２００を孔１１１ｂに通した後、吊ボルト２００にナット３００をねじ込んで器具本体１を天井材１００に固定する。
【００５７】
その後、作業者は、電源線３の端部を端子台２５に接続し、さらに端子台２５の雌型コネクタ２５２と電源装置２４の雄型コネクタ２４６とを接続する。続けて、作業者は、光源ユニット２の左右方向における一端側に設けられた一対の引掛片３１，３１をそれぞれ器具本体１の孔１１２ａ，１１２ａに引っ掛けた状態から、孔１１２ａを支点として光源ユニット２を回転させる。
【００５８】
そして、光源ユニット２の左右方向における他端側に設けられた一対の引掛ばね３２，３２を、器具本体１に取り付けられた引掛金具３３，３３にそれぞれ引っ掛けることで、光源ユニット２が器具本体１に取り付けられる。このとき、電源装置２４は、器具本体１の凹部１１内に収納される。以上のような手順に従って、照明器具１０が天井に施工される（図６参照）。
【００５９】
上述のように、電源装置２４と基板２２との間にセンサ２７を接続することで、センサ２７の検出結果に応じて基板２２への給電をオン／オフすることができる。また、上述のようにコネクタ同士を接続するだけでいいので、センサ２７（機能部品）の追加又は電源の直結を容易に切り替えることができる。
【００６０】
図７（ｂ）は、本実施形態のカバー部材２３及び取付部材３０の別の例を示す断面図である。
【００６１】
カバー部材２３は、拡散性を有する材料（例えば乳白色のアクリル樹脂）により上面（取付部材２１側の面）が開口する長尺状に形成されている。また、カバー部材２３は、左右方向（幅方向）において両端側から中央側に近づくほど下側への突出量が大きくなるような凸レンズ形状の拡散面２３１を有している（図７（ｂ）参照）。
【００６２】
さらに、カバー部材２３の左右方向における両端側には、図７（ｂ）に示すように、上向きに突出する突壁部２３３，２３３がそれぞれ全長に亘って設けられている。各突壁部２３３の先端部には、円弧状に湾曲する引掛部２３３ｂが設けられている。
【００６３】
取付部材３０は、例えば合成樹脂成型品であって、図７（ｂ）に示すように、カバー部材２３の拡散面２３１に沿って配置される本体部３０１を有している。本体部３０１の左右方向における両端部には、上向きに突出し且つ先端部が内向きに突出する側壁部３０３，３０３がそれぞれ全長に亘って設けられている。
【００６４】
そして、カバー部材２３に対して、前後方向から取付部材３０をスライドさせることで、本体部３０１及び両側壁部３０３，３０３で囲まれる空間内にカバー部材２３が配置される（図７（ｂ）参照）。本例においても、電源装置２４と基板２２との間にセンサ２７を接続することで、センサ２７の検出結果に応じて基板２２への給電をオン／オフすることができる。
【００６５】
なお、本実施形態では、センサ２７の一例として人感センサを挙げたが、例えば明るさセンサなどであってもよい。また、本実施形態では、機能部品であるセンサ２７を光源ユニット２に取り付けたが、器具本体１にセンサ２７を取り付けてもよい。さらに、機能部品は、上述の実施形態１，２で説明したプルスイッチ２６やセンサ２７に限定されるものではなく、例えば非常時に点灯する非常用照明装置や調光信号を出力する調光装置など、ＬＥＤ２２２（光源）に関わる機能を付加できるものであればよい。
【００６６】
本実施形態の照明器具１０は、器具本体１と、光源ユニット２と、センサ２７（機能部品）とを備える。器具本体１は、外部からの電源線３が接続される端子台２５を有し、天井材１００（造営材）に取り付けられる。光源ユニット２は、ＬＥＤ２２２（光源）及びＬＥＤ２２２に対して点灯電力を供給する電源装置２４を有し、器具本体１に取り付けられる。センサ２７は、ＬＥＤ２２２と電源装置２４の２次側との間に電気的に接続されることでＬＥＤ２２２に関わる機能を付加する。
【符号の説明】
【００６７】
１  器具本体
２  光源ユニット
１０  照明器具
２４  電源装置
２５  端子台
２６  プルスイッチ（機能部品）
２２２  ＬＥＤ（光源）
【図１】
2015103304.tif 000003
【図２】
2015103304.tif 000004
【図３】
2015103304.tif 000005
【図４】
2015103304.tif 000006
【図５】
2015103304.tif 000007
【図６】
2015103304.tif 000008
【図７】
2015103304.tif 000009
【図８】
2015103304.tif 000010